(57)【要約】【課題】テープの成形時に、テープとして使用される原紙の部分（取り分）を多くすることの可能なテープセットを提供する。【解決手段】本発明のテープセット１は、長手方向に延びるテープＴ１及びテープＴ２を少なくとも１つずつ含む。テープＴ１及びテープＴ２は、両側縁が一の底点Ｐから頂点Ｑを経由して二の底点Ｐに至る外向き凸状をなす基本構成部Ｋを１以上有する波形部Ｗを備え、波形部Ｗ同士が隣接するように前記長手方向と直交する幅方向に並べられる。テープＴ１は、波形部Ｗの一端縁に連なるとともに、テープＴ２の波形部Ｗの一端縁と幅方向に延びる同一直線上に先端縁が位置する切片Ｔ１-１をさらに備える。テープＴ２は、波形部Ｗの他端縁に連なるとともに、テープＴ１の波形部Ｗの他端縁と幅方向に延びる同一直線上に先端縁が位置する切片Ｔ２-１をさらに備える。【選択図】図１
2019119817.tif 000002
【特許請求の範囲】
【請求項１】
長手方向に延びる第１テープ及び第２テープを少なくとも１つずつ含むテープセットであって、
前記第１テープ及び前記第２テープは、両側縁が一の底点から頂点を経由して二の底点に至る外向き凸状をなす基本構成部を１以上有する波形部を備え、前記波形部同士が隣接するように前記長手方向と直交する幅方向に並べられており、
前記第１テープは、前記波形部の一端縁に連なるとともに、前記第２テープの前記波形部の一端縁と前記幅方向に延びる同一直線上に先端縁が位置する第１-１切片をさらに備え、
前記第２テープは、前記波形部の他端縁に連なるとともに、前記第１テープの前記波形部の他端縁と前記幅方向に延びる同一直線上に先端縁が位置する第２-１切片をさらに備える、テープセット。
【請求項２】
前記第１-１切片における前記第２テープ側の側縁は、前記第２テープの前記基本構成部の側縁のうち、頂点から一端側の底点に至る勾配部に隣接し、
前記第２-１切片における前記第１テープ側の側縁は、前記第１テープの前記基本構成部の側縁のうち、頂点から他端側の底点に至る勾配部に隣接する、請求項１に記載のテープセット。
【請求項３】
前記第１-１切片と前記第２-１切片とは同形状である請求項１又は２に記載のテープセット。
【請求項４】
前記第１-１切片と前記第２-１切片とは、それぞれ両側縁が外向きに延びる請求項３に記載のテープセット。
【請求項５】
一端側の前記底点を通り幅方向に延びる一端側底点線、前記頂点を通り幅方向に延びる頂点線、及び他端側の前記底点を通り幅方向に延びる他端側底点線を境界として、前記基本構成部を、前記一端側底点線と前記頂点線との間の一端側領域と、前記頂点線と前記他端側底点線との間の他端側領域とに区分した場合に、
前記第１-１切片と、前記第１テープの前記基本構成部における他端側領域とは、同形状であり、
前記第２-１切片と、前記第２テープの前記基本構成部における一端側領域とは、同形状である、請求項４に記載のテープセット。
【請求項６】
前記第１テープは、前記第１-１切片の先端縁に連なる第１-２切片と、前記波形部の他端縁に連なる第１-３切片とをさらに備え、
前記第２テープは、前記第２-１切片の先端縁に連なり、前記第１-３切片の先端縁と前記幅方向に延びる同一直線上に先端縁が位置する第２-２切片と、前記波形部の一端縁に連なり、前記第１-２切片の先端縁と前記幅方向に延びる同一直線上に先端縁が位置する第２-３切片とをさらに備え、
前記第１-２切片、前記第１-３切片、前記第２-２切片、及び前記第２-３切片は、それぞれ両側縁が内向きに延びる、請求項５に記載のテープセット。
【請求項７】
前記第１-２切片と前記第２-２切片とは同形状であり、
前記第１-３切片と前記第２-３切片とは同形状である請求項６に記載のテープセット。
【請求項８】
前記第１-２切片の側縁は、前記第１-１切片の側縁に滑らかに連続するものとされ、
前記第２-２切片の側縁は、前記第２-１切片の側縁に滑らかに連続するものとされ、
前記第１-３切片の側縁は、前記第１テープの前記基本構成部における他端側領域の側縁に滑らかに連続するものとされ、
前記第２-３切片の側縁は、前記第２テープの前記基本構成部における一端側領域の側縁に滑らかに連続するものとされる、請求項７に記載のテープセット。
【請求項９】
前記第１テープは、前記第１-１切片の先端縁に連なる第１-２切片と、前記波形部の他端縁に連なる第１-３切片とをさらに備え、
前記第２テープは、前記第２-１切片の先端縁に連なり、前記第１-３切片の先端縁と前記幅方向に延びる同一直線上に先端縁が位置する第２-２切片と、前記波形部の一端縁に連なり、前記第１-２切片の先端縁と前記幅方向に延びる同一直線上に先端縁が位置する第２-３切片とをさらに備え、
前記第１-２切片及び前記第２-２切片は、両側縁が内向きに延びており、
前記第１-３切片及び前記第２-３切片は、両側縁が外向きに延びており、
前記第１−２切片と前記第２-３切片とは側縁同士が隣接し、前記第１−３切片と前記第２-２切片とは側縁同士が隣接する、請求項５に記載のテープセット。
【請求項１０】
前記第１-２切片と前記第２-２切片とは同形状であり、
前記第１-３切片と前記第２-３切片とは同形状である請求項９に記載のテープセット。
【請求項１１】
前記第１-２切片の側縁は、前記第１テープの前記基本構成部における一端側領域の側縁と同一の勾配とされ、
前記第１-３切片の側縁は、前記第１テープの前記基本構成部における一端側領域の側縁と同一の勾配とされ、
前記第２-２切片の側縁は、前記第２テープの前記基本構成部における他端側領域の側縁と同一の勾配とされ、
前記第２-３切片の側縁は、前記第２テープの前記基本構成部における他端側領域の側縁と同一の勾配とされる、請求項１０に記載のテープセット。
【発明の詳細な説明】
【技術分野】
【０００１】
本発明は、複数のテープを有するテープセットに関する。
【背景技術】
【０００２】
従来、複数のテープが剥離フィルムに貼着されたテープセットが使用されており、例えば特許文献１には、商品情報が各テープに印刷されたテープセットが開示されている。特許文献１のテープセットでは、各テープが長方形とされている。
【０００３】
また、上記テープセットの１種として、例えば睡眠時における口呼吸を抑制するテープがあり、図１１は、従来の口呼吸抑制テープ１０を示している。口呼吸抑制テープ１０は、不織布等からなる複数のテープＴが剥離フィルムＦに貼り付けられたものであり、剥離フィルムＦから剥がしたテープＴを唇に貼り付けることで、睡眠時における口呼吸を抑制することができる。この口呼吸抑制テープ１０では、テープＴを伸びやすいものとするため、またテープＴを唇から剥がれにくいものとするために、テープＴの両側縁が波形とされている。図示の例では、テープＴの側縁の波形は、４つの基本波形縁Ｃが連なったものであり、各基本波形縁Ｃは、一の底点Ｐから頂点Ｑを経由して二の底点Ｐに至る外向き湾曲凸状をなしている。各テープＴでは、長手方向の一端と、長手方向一端側から数えてＮ番目の波形の頂点ＱＮとの間の距離ＬＮが同一とされる（図１１では、長手方向の一端と、長手方向一端側から数えて２番目の波形の頂点Ｑ２との間の距離Ｌ２や、長手方向の一端と、長手方向一端側から数えて４番目の波形の頂点Ｑ４との間の距離Ｌ４を例として示している）。
【先行技術文献】
【特許文献】
【０００４】
【特許文献１】特開２０１１−３３８２２号公報
【発明の概要】
【発明が解決しようとする課題】
【０００５】
テープセットの製造時には、剥離フィルムに貼り付けられた原紙を打ち抜くことで複数のテープを並んだ状態に成形することができる。この際、材料コストを抑えるために、原紙の取り分（テープとして使用される部分）を多くすることが求められる。この点に関して、特許文献１のようにテープが長方形とされる場合には、原紙の取り分を多くするために、例えば、テープの長さ分の幅を有する原紙を準備し、テープの幅分の間隔をあけた複数の位置で直線状の打ち込み線に沿って原紙を打ち抜くことで、各テープが原紙の全幅に延びて（原紙の幅が各テープの長さとなり）、隣り合う２つのテープの短辺同士が隣接するように、テープを成形できる。
【０００６】
これに対し、従来のテープセット（口呼吸抑制テープ１０）は、各テープＴにおける、長手方向の一端とＮ番目の頂点ＱＮとの間の距離ＬＮが同一とされている。このため図１２に示すように、各テープＴが原紙Ｇの長手方向における略全幅に延びるように原紙Ｇを打ち抜く場合には、各テープＴのＮ番目の頂点ＱＮが幅方向の同一直線上に位置することになる(上記の長手方向はテープＴの長手方向であり、上記の幅方向はテープＴの長手方向と直交する方向である）。このため、隣り合う２つのテープＴ,Ｔの側縁同士を隣接させることができず、上記２つのテープＴ,Ｔの間に隙間Ｖ（テープＴとして使用されない原紙Ｇの部分Ｖ）が生じる。このため原紙Ｇにおけるテープの取り分が少なくなる。
【０００７】
本発明は、上記課題を解決するためになされたものであり、その目的は、テープの成形時に、テープとして使用される原紙の部分（取り分）を多くすることの可能なテープセットを提供することである。
【課題を解決するための手段】
【０００８】
上記目的を達成するため、本発明のテープセットは、長手方向に延びる第１テープ及び第２テープを少なくとも１つずつ含むテープセットであって、前記第１テープ及び前記第２テープは、両側縁が一の底点から頂点を経由して二の底点に至る外向き凸状をなす基本構成部を１以上有する波形部を備え、前記波形部同士が隣接するように前記長手方向と直交する幅方向に並べられており、前記第１テープは、前記波形部の一端縁に連なるとともに、前記第２テープの前記波形部の一端縁と前記幅方向に延びる同一直線上に先端縁が位置する第１-１切片をさらに備え、前記第２テープは、前記波形部の他端縁に連なるとともに、前記第１テープの前記波形部の他端縁と前記幅方向に延びる同一直線上に先端縁が位置する第２-１切片をさらに備える。
【０００９】
好ましくは、前記第１-１切片における前記第２テープ側の側縁は、前記第２テープの前記基本構成部の側縁のうち、頂点から一端側の底点に至る勾配部に隣接し、前記第２-１切片における前記第１テープ側の側縁は、前記第１テープの前記基本構成部の側縁のうち、頂点から他端側の底点に至る勾配部に隣接する。
【００１０】
好ましくは、前記第１-１切片と前記第２-１切片とは同形状である。
【００１１】
好ましくは、前記第１-１切片と前記第２-１切片とは、それぞれ両側縁が外向きに延びる。
【００１２】
好ましくは、一端側の前記底点を通り幅方向に延びる一端側底点線、前記頂点を通り幅方向に延びる頂点線、及び他端側の前記底点を通り幅方向に延びる他端側底点線を境界として、前記基本構成部を、前記一端側底点線と前記頂点線との間の一端側領域と、前記頂点線と前記他端側底点線との間の他端側領域とに区分した場合に、前記第１-１切片と、前記第１テープの前記基本構成部における他端側領域とは、同形状であり、前記第２-１切片と、前記第２テープの前記基本構成部における一端側領域とは、同形状である。
【００１３】
好ましくは、前記第１テープは、前記第１-１切片の先端縁に連なる第１-２切片と、前記波形部の他端縁に連なる第１-３切片とをさらに備え、前記第２テープは、前記第２-１切片の先端縁に連なり、前記第１-３切片の先端縁と前記幅方向に延びる同一直線上に先端縁が位置する第２-２切片と、前記波形部の一端縁に連なり、前記第１-２切片の先端縁と前記幅方向に延びる同一直線上に先端縁が位置する第２-３切片とをさらに備え、前記第１-２切片、前記第１-３切片、前記第２-２切片、及び前記第２-３切片は、それぞれ両側縁が内向きに延びる。
【００１４】
好ましくは、前記第１-２切片と前記第２-２切片とは同形状であり、前記第１-３切片と前記第２-３切片とは同形状である。
【００１５】
好ましくは、前記第１-２切片の側縁は、前記第１-１切片の側縁に滑らかに連続するものとされ、前記第２-２切片の側縁は、前記第２-１切片の側縁に滑らかに連続するものとされ、前記第１-３切片の側縁は、前記第１テープの前記基本構成部における他端側領域の側縁に滑らかに連続するものとされ、前記第２-３切片の側縁は、前記第２テープの前記基本構成部における一端側領域の側縁に滑らかに連続するものとされる。
【００１６】
好ましくは、前記第１テープは、前記第１-１切片の先端縁に連なる第１-２切片と、前記波形部の他端縁に連なる第１-３切片とをさらに備え、前記第２テープは、前記第２-１切片の先端縁に連なり、前記第１-３切片の先端縁と前記幅方向に延びる同一直線上に先端縁が位置する第２-２切片と、前記波形部の一端縁に連なり、前記第１-２切片の先端縁と前記幅方向に延びる同一直線上に先端縁が位置する第２-３切片とをさらに備え、前記第１-２切片及び前記第２-２切片は、両側縁が内向きに延びており、前記第１-３切片及び前記第２-３切片は、両側縁が外向きに延びており、前記第１−２切片と前記第２-３切片とは側縁同士が隣接し、前記第１−３切片と前記第２-２切片とは側縁同士が隣接する。
【００１７】
好ましくは、前記第１-２切片と前記第２-２切片とは同形状であり、前記第１-３切片と前記第２-３切片とは同形状である。
【００１８】
好ましくは、前記第１-２切片の側縁は、前記第１テープの前記基本構成部における一端側領域の側縁と同一の勾配とされ、前記第１-３切片の側縁は、前記第１テープの前記基本構成部における一端側領域の側縁と同一の勾配とされ、前記第２-２切片の側縁は、前記第２テープの前記基本構成部における他端側領域の側縁と同一の勾配とされ、前記第２-３切片の側縁は、前記第２テープの前記基本構成部における他端側領域の側縁と同一の勾配とされる。
【発明の効果】
【００１９】
本発明のテープセットによれば、テープの成形時に、テープとして使用される原紙の部分（取り分）を多くすることができる。
【図面の簡単な説明】
【００２０】
【図１】本発明の実施形態に係るテープセットを示す平面図である。
【図２】図１のテープセットが備えるテープを示す平面図である
【図３】テープの原紙を打ち抜くために使用されるパンチを示す平面図である。
【図４】パンチによって打ち込みが行われた直後の原紙の状態を示す平面図である。
【図５】本発明の変形例に係るテープセットを示す平面図である。
【図６】図５のテープセットが備えるテープを示す平面図である
【図７】本発明の変形例に係るテープセットを示す平面図である。
【図８】本発明の変形例に係るテープセットを示す平面図である。
【図９】本発明の変形例に係るテープセットを示す平面図である。
【図１０】本発明の変形例に係るテープセットを示す平面図である。
【図１１】従来のテープセットを示す平面図である。
【図１２】従来のテープセットを成形するために打ち込みの行われた原紙の状態を示す平面図である。
【発明を実施するための形態】
【００２１】
以下、本発明の実施形態について図面を参照しつつ説明する。図１は、本発明の実施形態に係るテープセット１を示す平面図である。
【００２２】
図１に示すテープセット１は、長手方向に延びるテープＴ１及びテープＴ２が剥離フィルムＦに貼り付けられたものである。テープセット１は、剥離フィルムＦから剥がしたテープＴ１，Ｔ２を唇に貼り付けることで、睡眠時における口呼吸を抑制することができる。
【００２３】
剥離フィルムＦは、プラスチック或いは紙などから形成される。剥離フィルムＦは、矩形を呈しており、剥離フィルムＦの長手方向の略全幅に亘ってテープＴ１，Ｔ２が延びている。
【００２４】
テープＴ１及びテープＴ２は、不織布、和紙、或いは多数の通気孔が形成された樹脂シートなどから形成されている。テープＴ１及びテープＴ２の裏面には粘着剤が塗布されており、この粘着剤によってテープＴ１，Ｔ２を剥離フィルムＦや唇に貼り付けることができる。上記の粘着剤として、例えば、シリコン系粘着剤、ウレタン系粘着剤またはアクリル系粘着剤を使用することができる。なお、口呼吸抑制テープとして使用する場合には、皮膚刺激等の観点からシリコン系粘着剤を使用することが好ましい。
【００２５】
テープＴ１及びテープＴ２を延びやすいものとするため、またテープＴ１及びテープＴ２を唇から剥がれにくいものとするために、テープＴ１及びテープＴ２には波形部Ｗが形成されている。波形部Ｗは、１又は複数（図示例では３つ）の基本構成部Ｋから構成されており、各基本構成部Ｋの側縁は、一の底点Ｐから頂点Ｑを経由して二の底点Ｐに至る外向き湾曲凸状をなしている。なお、「外向き」とは、テープＴの幅方向の長さが次第に大きくなるように両側縁が延びることを意味する。テープＴ１及びテープＴ２は、波形部Ｗ同士が隣接するように長手方向と直交する幅方向に並べられる。なお図１では、テープＴ２の両側にテープＴ１が隣接するように２つのテープＴ１と１つのテープＴ２とを剥離フィルムＦに貼り付ける例を示しているが、テープセット１に含まれるテープＴ１，Ｔ２の数は、テープＴ１,Ｔ２を交互に並べた状態で、テープＴ１,Ｔ２を剥離フィルムＦに貼り付け可能な１組以上の数にすることができる。
【００２６】
図２は、隣り合うテープＴ１，Ｔ２のみを抽出して示す平面図である（図２では、説明の便宜のため、各テープ間で対応する同形状の部分を同一色で示している）。図２に示す直線Ｂ１は、一端側の底点Ｐ１を通り幅方向に延びる仮想線（以下、一端側底点線Ｂ１）である。図２に示す直線Ｂ２は、頂点Ｑを通り幅方向に延びる仮想線（以下、頂点線Ｂ２）である。図２に示す直線Ｂ３は、他端側の底点Ｐ２を通り幅方向に延びる仮想線（以下、他端側底点線Ｂ３）である。図２のＲ１は、基本構成部Ｋにおける一端側底点線Ｂ１と頂点線Ｂ２との間の一端側領域を示す。図２のＲ２は、基本構成部Ｋにおける頂点線Ｂ２と他端側底点線Ｂ３との間の他端側領域を示す。テープＴ１とテープＴ２との波形部Ｗの側縁同士を隣接させた状態では、一方の頂点Ｑと他方の底点Ｐとが突き合わされ、一方の底点Ｐと他方の頂点Ｑとが突き合わされることで、テープＴ１，Ｔ２の波形部Ｗの位置が長手方向にずれる。このため、テープＴ１は、波形部Ｗの他端側領域Ｒ２が、テープＴ２の波形部Ｗの他端よりも突き出て、テープＴ２は、波形部Ｗの一端側領域Ｒ１が、テープＴ１の波形部Ｗの一端よりも突き出る。
【００２７】
テープＴ１は、上記突き出たテープＴ２の一端側領域Ｒ１の側方に位置する部分として、切片Ｔ１-１を備えている。テープＴ２は、上記突き出たテープＴ１の他側領域Ｒ２の側方に位置する部分として、切片Ｔ２-１を備えている。以下、切片Ｔ１-１及び切片Ｔ２-１について説明する。
【００２８】
切片Ｔ１-１は、テープＴ１の波形部Ｗの一端縁に連なる。切片Ｔ１-１は、両側縁が外向きに延びており、切片Ｔ１-１の一端側の先端縁と、テープＴ２の波形部Ｗの一端縁とは、幅方向に延びる同一直線上に位置する。
【００２９】
切片Ｔ１-１は、テープＴ１の基本構成部Ｋにおける他端側領域Ｒ２と同形状とされており、切片Ｔ１-１におけるテープＴ２側の側縁は、テープＴ２の基本構成部Ｋの側縁のうち、頂点Ｑから一端側の底点Ｐ１に至る勾配部に隣接する。
【００３０】
なお本発明において「同形状」とは、テープＴ１，Ｔ２における２つの部分が下記の条件（１）〜（３）を満たすことを意味する。
（１）長手方向の長さが同一であること。
（２）幅が同一である長手方向の端縁を有すること。
（３）幅が同一である長手方向の端縁から延びる側縁の向きが、いずれも内向き或いは外向きであること。
【００３１】
なお、テープＴ１，Ｔ２における２つの部分が「同形状」であることには、２つの部分の形状が完全同一である場合の他に、２つの部分が点対称である場合や、２つの部分の両側縁のうち、一方の側縁の勾配が同一であるものの、他方の側縁の勾配が異なる場合も包含される。
【００３２】
切片Ｔ２-１は、テープＴ２の波形部Ｗの他端縁に連なる。切片Ｔ２-１は、両側縁が外向きに延びており、切片Ｔ２-１の他端側の先端縁と、テープＴ１の波形部Ｗの他端縁とは、幅方向に延びる同一直線上に位置する。
【００３３】
切片Ｔ２-１は、テープＴ２の基本構成部Ｋにおける一端側領域Ｒ１と同形状とされている。これにより、切片Ｔ２-１におけるテープＴ１側の側縁を、テープＴ１の基本構成部Ｋの側縁のうち、頂点Ｑから他端側の底点Ｐ２に至る勾配部に隣接させ、且つ、切片Ｔ１-１と切片Ｔ２-１とを同形状にすることができる。
【００３４】
さらに、テープＴ１は、波形部Ｗや切片Ｔ１-１に加えて、切片Ｔ１-１の一端側の先端縁に連なる切片Ｔ１-２と、波形部Ｗの他端縁に連なる切片Ｔ１-３とを備えている。また、テープＴ２は、波形部Ｗや切片Ｔ２-１に加えて、切片Ｔ２-１の他端側の先端縁に連なる切片Ｔ２-２と、波形部Ｗの一端縁に連なる切片Ｔ２-３とをさらに備えている。
【００３５】
切片Ｔ１-２、切片Ｔ１-３、切片Ｔ２-２、及び切片Ｔ２-３は、これらの両側縁が内向きに延びて一続きとなるものである。なお、「内向き」とは、テープＴの幅方向の長さが次第に小さくなるように両側縁が延びることを意味する。
【００３６】
切片Ｔ１-２の一端側の先端縁と、切片Ｔ２-３の一端側の先端縁とは、幅方向に延びる同一直線上に位置する。切片Ｔ１-３の他端側の先端縁と、切片Ｔ２-２の他端側の先端縁とは、幅方向に延びる同一直線上に位置する。テープＴ１，Ｔ２の全体を同形状にするために、切片Ｔ１-２と切片Ｔ２-２とは同形状とされ、切片Ｔ１-３と切片Ｔ２-３とは同形状とされている。
【００３７】
好ましくは、切片Ｔ１-２の側縁は、切片Ｔ１-１の側縁に滑らかに連続するものとされ、切片Ｔ２-２の側縁は、切片Ｔ２-１の側縁に滑らかに連続するものとされる。このようにすることで、切片Ｔ１-２や切片Ｔ２-２の側縁は、切片Ｔ１-１や切片Ｔ２-１の側縁に連続する波形の側縁を構成するものとなる。
【００３８】
また好ましくは、切片Ｔ１-３の側縁は、テープＴ１の他端側領域Ｒ２の側縁に滑らかに連続するものとされ、切片Ｔ２-３の側縁は、テープＴ２の一端側領域Ｒ１の側縁に滑らかに連続するものとされる。このようにすることで、切片Ｔ１-３や切片Ｔ２-３の側縁は、波形部Ｗの側縁に連続する波形の側縁を構成するものとなる。
【００３９】
上述したテープセット１は、以下の工程１〜３を順次実施することで製造される。
工程１：剥離フィルムＦに貼り付けられた原紙Ｇを用意する。
工程２：パンチＥを用いて原紙Ｇを打ち抜く。
工程３：テープＴとして使用されない原紙Ｇの部分を取り除く。
【００４０】
図３は、テープＴの原紙Ｇを打ち抜くために使用されるパンチＥを示す平面図である。図４は、パンチＥによって打ち込みが行われた原紙Ｇを示す平面図である。
【００４１】
図３に示すパンチＥは、テープＴ１を成形するための環状体Ｊ１（以下、第１環状体Ｊ１）と、テープＴ２を成形するための環状体Ｊ２（第２環状体Ｊ２）とが交互に並んだものであり、隣り合う第１環状体Ｊ１及び第２環状体Ｊ２は波状壁Ｊａを介して連なっている（つまり、隣り合う第１環状体Ｊ１及び第２環状体Ｊ２は、これらの一部として波状壁Ｊａを共有している）。波状壁Ｊａは、テープＴ１，Ｔ２における波形の側縁を成形するために設けられており、隣り合う第１環状体Ｊ１及び第２環状体Ｊ２によって、波形の側縁同士が隣接するテープＴ１及びテープＴ２が成形される（図４参照）。上記の「波形の側縁同士」には、「テープＴ１，Ｔ２の波形部Ｗの側縁同士」や、「テープＴ１の他端側領域Ｒ２の側縁と切片Ｔ１-１の側縁」や、「テープＴ２の一端側領域Ｒ１の側縁と切片Ｔ２-１の側縁」が含まれる。
【００４２】
本実施形態のテープセット１によれば、テープＴ１，Ｔ２の波形部Ｗの側縁同士が隣接するようにテープＴ１，Ｔ２が幅方向に並べられることで、テープＴ１，Ｔ２の波形部Ｗの間に隙間（テープＴとして使用されない原紙Ｇの部分）を生じることなく、テープＴ１，Ｔ２を成形できる。
【００４３】
さらに、テープＴ１の切片Ｔ１-１の側縁が、テープＴ２の波形部Ｗの一端部をなす一端側領域Ｒ１の側縁に隣接し、テープＴ２の切片Ｔ２-１の側縁が、テープＴ１の波形部Ｗの他端部をなす他端側領域Ｒ２の側縁に隣接する。このため、テープＴ１，Ｔ２は、波形部Ｗが隣接する範囲のみならず、波形部Ｗの一端部や他端部の側方においても、隙間（テープＴとして使用されない原紙Ｇの部分）を生じることなく、成形できる。
【００４４】
さらに、切片Ｔ１-２の一端側の先端縁と、切片Ｔ２-３の一端側の先端縁とが、幅方向に延びる同一直線上に位置し、切片Ｔ１-３の他端側の先端縁と、切片Ｔ２-２の他端側の先端縁とが、幅方向に延びる同一直線上に位置することで、テープＴ１，Ｔ２に応じた長手方向の長さを有する原紙Ｇを用いて、テープＴ１，Ｔ２を成形できる。
【００４５】
以上の理由から、本実施形態のテープセット１によれば、原紙Ｇの取り分を多くすることができる（テープとして使用されずに、廃棄される原紙Ｇの部分を少なくすることができる）。
【００４６】
またテープＴ１やテープＴ２では、波形部Ｗの側縁以外に、切片Ｔ１-１，Ｔ１-２，Ｔ１-３，Ｔ２-１，Ｔ２-２，Ｔ２-３の側縁も、波形の側縁を構成する。このため、テープＴ１，Ｔ２の側縁の全体が、波形となる。したがって、伸びやすさや、唇からの剥がれにくさ等のテープＴ１，Ｔ２の性能（以下、テープＴ１，Ｔ２の伸びやすさ等の性能）を向上させることができる。
【００４７】
また本実施形態では、テープＴ１やテープＴ２の波形部Ｗ同士が同形状、切片Ｔ１-１と切片Ｔ２-１とが同形状、切片Ｔ１-２と切片Ｔ２-２とが同形状、切片Ｔ１-３と切片Ｔ２-３とが同形状である。このため、テープＴ１とテープＴ２とは全体が同形状になる。したがって、テープＴ１，Ｔ２の伸びやすさ等の性能を、均一にすることができる。
【００４８】
また、切片Ｔ１-２，Ｔ１-３，Ｔ２-２，Ｔ２-３の両側縁が内向きに延びることで、これら切片の基端を構成する波形部Ｗや切片の角が、めくれにくいものとなる（例えば、切片Ｔ１-２の両側縁が内向きに延びることで、切片Ｔ１-２の基端を構成する切片Ｔ１-１の角がめくれにくいものとなる）。このため、テープＴ１，Ｔ２が剥離フィルムＦや唇に貼り付いた状態を安定して維持できる。
【００４９】
なお本発明は、上記実施形態に限定されず、種々改変できる。
【００５０】
例えば本発明のテープセットは、図５に示すように変更され得る。図５は、本発明の変形例に係るテープセット２を示す平面図である。また図６は、図５のテープセット２が備えるテープＴ１，Ｔ２を示す平面図である（図６では、説明の便宜のため、各テープ間で対応する同形状の部分を同一色で示している）。
【００５１】
図５に示すテープセット２は、図１に示すテープセット１から、切片Ｔ１-３や切片Ｔ２-３の形状を変更したものである。このテープセット２では、切片Ｔ１-３と切片Ｔ２-３は、これらの両側縁が外向きに延びるものとされて、同形状とされる。切片Ｔ１-３の他端側の先端縁と切片Ｔ２-２の他端側の先端縁とは、幅方向に延びる同一直線上に位置する。また、切片Ｔ２-３の一端側の先端縁と切片Ｔ１-２の一端側の先端縁とは、幅方向に延びる同一直線上に位置する。
【００５２】
上記のテープセット２によれば、上記実施形態と同様の効果を奏することに加えて、切片Ｔ１-３及び切片Ｔ２-３の側縁が外向きであることで、切片Ｔ１-２と切片Ｔ２-３との間の隙間や、切片Ｔ１-３と切片Ｔ２-２との間の隙間（テープに使用されない原紙Ｇの部分）が小さくなる。このため原紙Ｇの取り分をより一層多くすることができる。
【００５３】
なお好ましくは、切片Ｔ１-３の側縁は、テープＴ１の一端側領域Ｒ１の側縁と同一の勾配とされ、切片Ｔ２-２の側縁は、テープＴ２の他端側領域Ｒ２の側縁と同一の勾配とされる。また切片Ｔ１-２の側縁は、テープＴ１の一端側領域Ｒ１の側縁と同一の勾配とされ、切片Ｔ２-３の側縁は、テープＴ２の他端側領域Ｒ２の側縁と同一の勾配とされる。以上のようにすることで、切片Ｔ１-３の側縁と切片Ｔ２-２の側縁とを隣接させ、切片Ｔ１-２の側縁と切片Ｔ２-３の側縁とを隣接させることができる。このため原紙Ｇの取り分をより一層多くすることができる。
【００５４】
また基本構成部Ｋの両側縁は上記実施形態に示す湾曲凸状に限定されず、図７及び図８に示すように三角凸状にすることができる。
【００５５】
図７のテープセット３は、図１のテープセット１の変形例である。図８のテープセット４は、図５のテープセット２の変形例である。図７や図８に示すテープセット１では、基本構成部Ｋの数が２とされ、基本構成部Ｋの側縁が外向き三角凸状とされている。
【００５６】
そして図７や図８に示すテープセット３,４では、切片Ｔ１-１をテープＴ２の波形部Ｗに隣接させるために、切片Ｔ１-１の側縁の勾配が、テープＴ１の基本構成部Ｋの側縁のうち、頂点Ｑから他端側の底点Ｐ２に至る勾配部と同一とされている。また切片Ｔ２-１をテープＴ１の波形部Ｗに隣接させるために、切片Ｔ２-１の側縁の勾配が、テープＴ２の基本構成部Ｋの側縁のうち、頂点Ｑから一端側の底点Ｐ１に至る勾配部と同一とされている。
【００５７】
また図７に示すテープセット３では、テープＴ１の波形の側縁を長くするために、切片Ｔ１-２の側縁の勾配が、テープＴ１の基本構成部Ｋの側縁のうち、頂点Ｑから一端側の底点Ｐ１に至る勾配部と同一とされている。またテープＴ２の波形の側縁を長くするために、切片Ｔ２-２の側縁の勾配が、テープＴ２の基本構成部Ｋの側縁のうち、頂点Ｑから他端側の底点Ｐ２に至る勾配部と同一とされている。
【００５８】
また図８に示すテープセット４では、テープＴ１の波形の側縁を長くするために、切片Ｔ１-２や切片Ｔ１-３の側縁の勾配が、テープＴ１の基本構成部Ｋの側縁のうち、頂点Ｑから一端側の底点Ｐ１に至る勾配部と同一とされている。またテープＴ２の波形の側縁を長くするために、切片Ｔ２-２や切片Ｔ２-３の側縁の勾配が、テープＴ２の基本構成部Ｋの側縁のうち、頂点Ｑから他端側の底点Ｐ２に至る勾配部と同一とされている。そして上記のように切片Ｔ１-２，Ｔ１-３，Ｔ２-２，Ｔ２-３の側縁の勾配が調整されることで、切片Ｔ１-２の側縁と切片Ｔ２-３の側縁とが隣接し、切片Ｔ１-３の側縁と切片Ｔ２-２の側縁とが隣接している。
【００５９】
図７に示すテープセット３によれば、上記実施形態に示すテープセット１（図１）と同様の効果を奏し、図８に示すテープセット４によれば、図５のテープセット２と同様の効果を奏する。
【００６０】
さらに図７や図８に示すテープセット３，４は、図９に示すように変更可能である。図９に示すテープセット５は、図７や図８に示すテープセット３,４から切片Ｔ１-２，Ｔ１-３，Ｔ２-２，Ｔ２-３を省略したものである。
【００６１】
図９のテープセット５によれば、上記実施形態と同様、テープＴ１，Ｔ２の波形部Ｗ，Ｗ同士が隣接し、テープＴ１の切片Ｔ１-１の側縁が、テープＴ２の波形部Ｗの一端部の側縁に隣接し、テープＴ２の切片Ｔ２-１の側縁が、テープＴ１の波形部Ｗの他端部の側縁に隣接する。また切片Ｔ１-１の一端側の先端縁が、テープＴ２の波形部Ｗの一端縁と幅方向に延びる同一直線上に位置し、切片Ｔ２-１の他端側の先端縁が、テープＴ１の波形部Ｗの他端縁と幅方向に延びる同一直線上に位置する。このため、テープＴ１，Ｔ２に応じた長手方向の長さを有する原紙Ｇを用いて、テープＴ１，Ｔ２を成形できる。以上の理由から、原紙Ｇの取り分を多くすることができる。
【００６２】
さらに図９に示すテープセット５は、図１０に示すように変更可能である。図１０のテープセット６は、図９のテープセット５から、切片Ｔ１-１の側縁を、テープＴ２の波形部Ｗの一端部の側縁に隣接させず、切片Ｔ２-１の側縁を、テープＴ１の波形部Ｗの他端部の側縁に隣接させないようにしたものである。
【００６３】
図１０のテープセット６によれば、上記実施形態と同様、テープＴ１，Ｔ２の波形部Ｗ，Ｗ同士が隣接するようにテープＴ１，Ｔ２が幅方向に並べられる。さらに図９のテープセット５と同様、切片Ｔ１-１の一端側の先端縁が、テープＴ２の波形部Ｗの一端縁と幅方向に延びる同一直線上に位置し、切片Ｔ２-１の他端側の先端縁が、テープＴ１の波形部Ｗの他端縁と幅方向に延びる同一直線上に位置する。このためテープＴ１，Ｔ２に応じた長手方向の長さを有する原紙Ｇを用いて、テープＴ１，Ｔ２を成形できる。以上の理由から、原紙Ｇの取り分を多くすることができる。
【００６４】
また図１や図５〜８に示すテープセット１，２，３，４，５，６では、必ずしも、切片Ｔ１-１と切片Ｔ２-１とは同形状にされなくてもよく、切片Ｔ１-２と切片Ｔ２-２とは同形状にされなくてもよく、切片Ｔ１-３と切片Ｔ２-３とは同形状にされなくてもよい。
【００６５】
また上記の例では、本発明のテープセットを口呼吸抑制テープに適用する例を示したが、本発明のテープセットは、波形の側縁を有する２つ以上のテープが並べられる様々な物品に適用可能である。
【符号の説明】
【００６６】
１，２，３，４，５，６  テープセット
Ｂ１  一端側底点線
Ｂ２  頂点線
Ｂ３  他端側底点線
Ｆ  剥離フィルム
Ｋ  基本構成部
Ｐ１  一端側の底点
Ｐ２  他端側の底点
Ｑ  頂点
Ｒ１  一端側領域
Ｒ２  他端側領域
Ｔ１  テープ（第１テープ）
Ｔ２  テープ（第２テープ）
Ｔ１-１  切片（第１−１切片）
Ｔ１-２  切片（第１−２切片）
Ｔ１-３  切片（第１−３切片）
Ｔ２-１  切片（第２−１切片）
Ｔ２-２  切片（第２−２切片）
Ｔ２-３  切片（第２−３切片）
Ｗ  波形部
【図１】
2019119817.tif 000003
【図２】
2019119817.tif 000004
【図３】
2019119817.tif 000005
【図４】
2019119817.tif 000006
【図５】
2019119817.tif 000007
【図６】
2019119817.tif 000008
【図７】
2019119817.tif 000009
【図８】
2019119817.tif 000010
【図９】
2019119817.tif 000011
【図１０】
2019119817.tif 000012
【図１１】
2019119817.tif 000013
【図１２】
2019119817.tif 000014